(57)【要約】      （修正有）【課題】逆三角形状のヘッドレストの場合において、上下逆転させて使用することを可能とする病院用椅子を提供する。【解決手段】中央部に縦長の方形の凹部を設けると共に、該凹部の底部に後記連結体の挿入孔を設けてなる基枠の前部にクッション材をカバー体で被覆してヘッドレスト本体とする。ヘッドレスト支持アーム２の先端部の連結体に一対の円板１９、２０を固着する。ばね受け軸１７に取り付けたばね１８をもって円板の中心点が該ばね受け軸１７から離間する方向に後記円板を押圧附勢してなる方形の芯板１４を前記基枠の凹部に嵌入して固定する。芯板１４を挟んで一対の円板を基枠の凹部内に設けると共にこれら一対の円板間にこれらと一体的に長方形の位置決め板２１を設ける。位置決め板２１の下端が芯板１４の位置決め板受容孔に連成した位置決め板の上端と下端のいずれかが嵌入する部分内に嵌入し、位置が保持される。【選択図】図３
2008067999.tif 000002
【特許請求の範囲】
【請求項１】
硬質材をもって逆三角形状に成形し、前面下部寄りの中央部に縦長の方形の凹部を設けると共に、該凹部の底部に後記連結体の挿入孔を設けてなる基枠の前部にクッション材を取着し、該クッション材をカバー体で被覆してなるヘッドレスト本体と、ヘッドレスト支持アームの先端部に取着される連結体と、前記ヘッドレスト本体における基枠の凹部に嵌入して固定する、中央部に、後記位置決め板が回転し得る大きさを有する円形又は鐙形をなし且つ上部に後記位置決め板の上端と下端のいずれかが嵌入する部分を連成した位置決め板受容孔を設けると共に、下部中央にばね受け軸を設け、該ばね受け軸に取り付けたばねをもって後記円板の中心点が該ばね受け軸から離間する方向に後記円板を押圧附勢してなる方形の芯板と、前記連結体に固着し、前記芯板を挟むようにして前記ヘッドレスト本体における基枠の凹部内に設けられる一対の円板と、前記一対の円板間にこれらと一体的に設けると共に軸線が縦方向となるようにして前記芯板の位置決め板受容孔内に受容させる長方形の位置決め板とからなる病院用椅子におけるヘッドレスト。
【発明の詳細な説明】
【技術分野】
【０００１】
本発明は、耳鼻科医院等の病院用椅子におけるヘッドレストに関し、更に詳細には上下逆転させて使用することを可能となしたヘッドレストに係わる。
【背景技術】
【０００２】
耳鼻科医院等の病院用椅子は、背もたれにヘッドレスト支持アームを介してヘッドレストを取り付けている。そして、このヘッドレスト支持アームは、ヘッドレストをその高さ方向や前後方向に自由に位置決めすることができるように構成されている。
【０００３】
また、ヘッドレストはその形態において逆三角形状のものが一般的であり、且つまたサイズも大人の頭部のサイズに合わせている。このため患者の体格によっては頭部の保持が不安定となり、施術の能率が上がらない場合がある。
【０００４】
即ち、患者が大人等で体格のよい場合には、後頭部が大きいからヘッドレストの上部側のサイズにフィットし、安定して保持することができるが、小児や大人でも老人や小柄な女性の如き体格のよくない人の場合には、後頭部が小さいから、ヘッドレストに頭をつけてもぐらぐらして安定しない。このため、能率よく施術をすることができない。
【発明の開示】
【発明が解決しようとする課題】
【０００５】
本発明は上記の点に鑑みなされたものであって、上下逆転させて使用することを可能となして、患者の体格を問わず、あらゆる患者に対して頭部を安定して保持することができるようになしたヘッドレストを提供せんとするものである。
【課題を解決するための手段】
【０００６】
而して、本発明の要旨とするところは、硬質材をもって逆三角形状に成形し、前面下部寄りの中央部に縦長の方形の凹部を設けると共に、該凹部の底部に後記連結体の挿入孔を設けてなる基枠の前部にクッション材を取着し、該クッション材をカバー体で被覆してなるヘッドレスト本体と、ヘッドレスト支持アームの先端部に取着される連結体と、前記ヘッドレスト本体における基枠の凹部に嵌入して固定する、中央部に、後記位置決め板が回転し得る大きさを有する円形又は鐙形をなし且つ上部に後記位置決め板の上端と下端のいずれかが嵌入する部分を連成した位置決め板受容孔を設けると共に、下部中央にばね受け軸を設け、該ばね受け軸に取り付けたばねをもって後記円板の中心点が該ばね受け軸から離間する方向に後記円板を押圧附勢してなる方形の芯板と、前記連結体に固着し、前記芯板を挟むようにして前記ヘッドレスト本体における基枠の凹部内に設けられる一対の円板と、前記一対の円板間にこれらと一体的に設けると共に軸線が縦方向となるようにして前記芯板の位置決め板受容孔内に受容させる長方形の位置決め板とからなる病院用椅子におけるヘッドレストにある。
【発明の効果】
【０００７】
本発明は、上記の如き構成であるから、上下逆転させて使用することが可能となるものである。したがって、患者の体格を問わず、あらゆる患者に対して頭部を安定して保持することができるものである。即ち、小児等の如き頭部の小さい患者の場合にあっては、上下逆転させて下側の狭まった部分で後頭部を受けるようにすることができ、もって従来よりも一段と施術の能率を向上させることができるものである。
【発明を実施するための最良の形態】
【０００８】
本発明を実施するための最良の形態は、硬質材をもって逆三角形状に成形し、前面下部寄りの中央部に縦長の方形の凹部を設けると共に、該凹部の底部に後記連結体の挿入孔を設けてなる基枠の前部にクッション材を取着し、該クッション材をカバー体で被覆してなるヘッドレスト本体と、ヘッドレスト支持アームの先端部に取着される連結体と、前記ヘッドレスト本体における基枠の凹部に嵌入して固定する、中央部に、後記位置決め板が回転し得る大きさを有する円形又は鐙形をなし且つ上部に後記位置決め板の上端と下端のいずれかが嵌入する部分を連成した位置決め板受容孔を設けると共に、下部中央にばね受け軸を設け、該ばね受け軸に取り付けたばねをもって後記円板の中心点が該ばね受け軸から離間する方向に後記円板を押圧附勢してなる方形の芯板と、前記連結体に固着し、前記芯板を挟むようにして前記ヘッドレスト本体における基枠の凹部内に設けられる一対の円板と、前記一対の円板間にこれらと一体的に設けると共に軸線が縦方向となるようにして前記芯板の位置決め板受容孔内に受容させる長方形の位置決め板とをもって構成することにある。
【実施例】
【０００９】
以下、本発明の実施例について説明する。
図１は本発明の通常の使用状態の一部切欠して示した斜視図、図２はクッション材及びカバー体を省略して示した中央縦断側面図、図３は回転機構部分の斜視図、図４は回転機構部分の内面側から看た図、図５はクッション材及びカバー体を省略して示したヘッドレスト本体の内面側から看た図、図６は図５中Ａ−Ａ線断面図、図７は図５中Ｂ−Ｂ線断面図、図８は芯板及び一対の円板と位置決め板の正面図、図９乃至図１３は本発明の作用説明図、図１４は本発明の上下逆転させた状態の斜視図である。
【００１０】
図中、１は耳鼻科医院等の病院用椅子における背もたれ、２は該背もたれ１に取り付けられるヘッドレスト支持アームである。また、該支持アーム２は、その先端に取り付けるヘッドレストをその高さ方向や前後方向に自由に位置決めすることができるように構成されている。
【００１１】
３は前記支持アーム２の先端に取り付けるヘッドレストである。そして、該ヘッドレスト３は、次の如き構成要素をもって構成されている。
【００１２】
４はヘッドレスト３の構成要素であるヘッドレスト本体であり、硬質材をもって逆三角形状に成形し、前面下部寄りの中央部に縦長の方形の凹部５を設けると共に、該凹部５の底部に後記連結体の挿入孔６を設けてなる基枠７の前部にクッション材８を取着し、該クッション材８をレザーシート等からなるカバー体９で被覆してなるものである。また、１０、１０は基枠７の凹部５における底部に設けた、後記芯板固定用ねじの螺合孔である。
【００１３】
１１は前記ヘッドレスト支持アーム２の先端部に取着される連結体である。また、該連結体１１は、角柱状をなし、後部側中央を所要の幅及び深さに抉り、平行する部分に、ヘッドレスト支持アーム２の連結ピン２ａ、２ａが嵌合する孔１２、１２を縦方向に並べて設け、更に抉った部分１１ａの底部から前端面に通ずるねじ挿通孔１３、１３を縦方向に並べて設けている。
【００１４】
１４は前記基枠７の凹部５に嵌入して固定する方形の金属製芯板であり、上下の両端部に固定用ねじの挿入用切欠部１４ａ、１４ａを設けている。また、該芯板１４は、固定用ねじ１５、１５をもって脱落しないように固定している。また、該芯板１４は、中央部に、後記位置決め板が回転し得る大きさを有する円形又は鐙形をなし且つ上部に後記位置決め板の上端と下端のいずれかが嵌入する部分１６ａを連成した位置決め板受容孔１６を設けると共に、下部中央にばね受け軸１７を設け、該ばね受け軸１７に取り付けた二又状に折曲したばね１８をもって後記円板の中心点が該ばね受け軸１７から離間する方向に後記円板を押圧附勢している。尚、位置決め板受容孔１６に連成した位置決め板の上端と下端のいずれかが嵌入する部分１６ａは奥に丸味をつけている。
【００１５】
１９、２０は一対の金属製円板であり、前記連結体１１の前端面に固着し、前記芯板１４を挟むようにして前記基枠７の凹部５内に設けられている。
【００１６】
２１は前記一対の円板１９、２０間にこれらと一体的に設けられると共に軸線が縦方向になるようにして前記芯板１４の位置決め板受容孔１６内に受容させる金属製位置決め板である。また、該位置決め板２１は、長方形をなし、且つその上下端部には丸味をつけている。そして、該位置決め板２１と前記一対の円板１９、２０とは、前記連結体１１に設けたねじ挿通孔１３、１３から挿通したねじ２２、２２をもって一体化した状態で連結体１１に固着されている。
【００１７】
次に、上記実施例の作用について説明する。
図１に示した通常の使用状態にあっては、図９に示す如く、位置決め板２１の上端部が芯板１４の位置決め板受容孔１６に連成した位置決め板の上端と下端のいずれかが嵌入する部分１６ａ内に嵌入している。そして、ヘッドレストを上下逆転させようとするときには、先ずヘッドレスト本体４を一旦上側に持ち上げてずらす。これにより図１０に示す如く、位置決め板２１の上端が、これが嵌入していた部分１６ａから外れる。次にヘッドレスト本体４を左右いずれかの方向に回す。このときの状態は図１１に示す通りである。そしてヘッドレスト本体４が完全に上下逆転して、ヘッドレスト本体４の下側が上部に位置したら力を抜く。図１２はヘッドレスト本体４が上下逆転した位置における芯板１４と位置決め板２１の位置関係を示し、この状態においてヘッドレスト本体４から力を抜くと、ばね１８の作用によって該ヘッドレスト本体４が上側に押し上げられ、もって図１３に示す如く、位置決め板２１の下端が芯板１４の位置決め板受容孔１６に連成した位置決め板の上端と下端のいずれかが嵌入する部分１６ａ内に嵌入し、位置が保持されるものである。
【図面の簡単な説明】
【００１８】
【図１】本発明の通常の使用状態の一部切欠して示した斜視図である。
【図２】クッション材及びカバー体を省略して示した中央縦断側面図である。
【図３】回転機構部分の斜視図である。
【図４】回転機構部分の内側から看た図である。
【図５】クッション材及びカバー体を省略して示したヘッドレスト本体の内面側から看た図である。
【図６】図５中Ａ−Ａ線断面図である。
【図７】図５中Ｂ−Ｂ線断面図である。
【図８】芯板及び一対の円板と位置決め板の正面図である。
【図９】本発明の作用説明図であり、ヘッドレスト本体が通常の使用状態にあるときの芯板と位置決め板の位置関係を示すものである。
【図１０】本発明の作用説明図であり、ヘッドレスト本体を一旦上側に持ち上げたときの状態における芯板と位置決め板の位置関係を示すものである。
【図１１】本発明の作用説明図であり、ヘッドレスト本体を左方向に回したときの状態における芯板と位置決め板の位置関係を示すものである。
【図１２】本発明の作用説明図であり、ヘッドレスト本体を完全に上下逆転させたときの状態における芯板と位置決め板の位置関係を示すものである。
【図１３】本発明の作用説明図であり、ヘッドレスト本体が完全に上下逆転し、位置決めされたときの状態における芯板と位置決め板の位置関係を示すものである。
【図１４】本発明の上下逆転させた状態の斜視図である。
【符号の説明】
【００１９】
１  背もたれ
２  ヘッドレスト支持アーム
３  ヘッドレスト
４  ヘッドレスト本体
５  凹部
６  連結体の挿入孔
７  基枠
８  クッション材
９  カバー体
１１  連結体
１４  芯板
１５、１５  固定用ねじ
１６  位置決め板受容孔
１７  ばね受け軸
１８  ばね
１９、２０  一対の円板
２１  位置決め板
【図１】
2008067999.tif 000003
【図２】
2008067999.tif 000004
【図３】
2008067999.tif 000005
【図４】
2008067999.tif 000006
【図５】
2008067999.tif 000007
【図６】
2008067999.tif 000008
【図７】
2008067999.tif 000009
【図８】
2008067999.tif 000010
【図９】
2008067999.tif 000011
【図１０】
2008067999.tif 000012
【図１１】
2008067999.tif 000013
【図１２】
2008067999.tif 000014
【図１３】
2008067999.tif 000015
【図１４】
2008067999.tif 000016